(57)【特許請求の範囲】
【請求項１】
長さ方向の断面を凹凸形状とした可撓性ベルト（１）の表面に形成される凸条（１ｂ）を、一端部寄りにおいては一側方に傾斜させたものとし、他端部寄りにおいては一側方にかけて徐々に狭くなったものとし、さらにその可撓性ベルト（１）の両端部に接続部（２）を設けたことを特徴とする鞄用ベルト構成部材。
【請求項２】
ランドセル（３）の背負いベルト（４）において、その接続ベルト（５）に請求項１記載の鞄用ベルト構成部材を用いたことを特徴とする鞄用ベルト。
【発明の詳細な説明】
【０００１】
【発明の属する技術分野】
この発明は、ランドセル、肩掛け鞄、手提げ鞄などの鞄用ベルトの構成部材、及びその構成部材を用いた鞄用ベルトに関するものである。
【０００２】
【従来の技術】
従来のランドセルにおいては、図１１に示したように、一対の背負いベルト１４のそれぞれの接続ベルト１５は、皮革などの二枚の帯状ベルトより成っているため、曲がり難いものとなっていたが、内側への曲がり癖を無理につけていた。また、図１２に示したように、前記接続ベルト１５を最初から互いに内側に湾曲させた形状としたものも存在する。
【０００３】
前記接続ベルト１５に内側への曲がり癖を無理につけたり、接続ベルト１５を内側に湾曲させた形状としたものにするのは、ランドセルを背負ったときに、一対の背負いベルト１４が互いに外側に開いてしまうのを防止して、背負いベルト１４を使用者の脇下から背中にかけてフィットさせ、安定した状態でランドセルを背負えるようにするためである。
【０００４】
一方、従来の肩掛け鞄においては、その肩掛けベルトの肩パットには、使用者の肩にフィットし易くしたり、使用者の肩に負担がかからないようにした適宜の部材が使用されており、手提げ鞄においても、その手提げベルトの手持ち部には、使用者の手に馴染み易くしたり、持ち易くするなどした適宜部材が使用されている。
【０００５】
【発明が解決しようとする課題】
しかしながら、上記従来のランドセルにおける背負いベルト１４の接続ベルト１５は、図１１に示したようなものでは、内側への曲がり癖を無理につけているため、使用者の体格に応じてその曲がり具合を調節し難くかったり、接続ベルト１５が型崩れしたりするという課題を有していた。また、図１２に示したような前記接続ベルト１５を最初から互いに内側に湾曲させた形状としたものでは、その湾曲度が決まっており、使用者の体格に応じてその曲がり具合を調節できないという課題を有していた。
【０００６】
さらに、従来の肩掛け鞄における肩掛けベルトの肩パットや、手提げ鞄における手提げベルトの手持ち部も、それ相応の部材を製造しなければならないので、製造コストが高くつくという課題を有していた。
【０００７】
そこで、この発明は、主としてランドセル等の背負いベルトの接続ベルトとして使用されるが、肩掛けベルトの肩パット、手提げベルトの手持ち部などにも兼用できる鞄用ベルト構成部材を提供すると共に、その構成部材を用いた各種の鞄用ベルトを提供することを目的としたなされたものである。
【０００８】
【課題を解決するための手段】
そのため、この発明の鞄用ベルト構成部材は、長さ方向の断面を凹凸形状とした可撓性ベルト１の表面に形成される凸条１ｂを、一端部寄りにおいては一側方に傾斜させたものとし、他端部寄りにおいては一側方にかけて徐々に狭くなったものとし、さらにその可撓性ベルト１の両端部に接続部２を設けたものとしている。
【００１１】
そして、この発明の鞄用ベルトは、ランドセル３の背負いベルト４において、その接続ベルト５にこの発明の鞄用ベルト構成部材を用いたものとすることができる。
【００１２】
【発明の実施の形態】
以下、この発明の鞄用ベルト構成部材及びその構成部材を用いた鞄用ベルトについて、詳細に説明する。
【００１３】
図１〜３は、この発明の鞄用ベルト構成部材の実施形態を示しており、図１に示したものは、長さ方向の断面を凹凸形状とした可撓性ベルト１の両端部に接続部２を設けたものとしている。図２に示したものは、長さ方向の断面を凹凸形状とした可撓性ベルト１の両側部１ａを凹凸形状とし、さらにその可撓性ベルト１の両端部に接続部２を設けたものとしている。図３に示したものは、長さ方向の断面を凹凸形状とした可撓性ベルト１の表面に形成される凸条１ｂを、一端部寄りにおいては一側方に傾斜させたものとし、他端部寄りにおいては一側方にかけて徐々に狭くなったものとし、さらにその可撓性ベルト１の両端部に接続部２を設けたものとしている。
【００１４】
可撓性ベルト１は、軟質の天然ゴム、合成樹脂、合成ゴムなどから成り、長さを約１０〜２０ｃｍ、幅を約２〜４ｃｍ、厚さを約１〜３ｍｍにし、さらに波の振幅を約１〜６ｍｍ、波長を約０．５〜２ｃｍとするのが、鞄用ベルト構成部材への適用範囲が広いものとなり好ましい。さらに、この可撓性ベルト１の両側部１ａの波の振幅及び波長は、前記可撓性ベルト１の長さ方向の断面の波の振幅及び波長に合わせたものとするのが、バランスがとれたものとなり好ましい。
【００１５】
接続部２は、図に示した実施形態ではベルト端部の平坦部２ａに貫通孔２ｂを設けたものとしているが、ランドセルの背負いベルトや、肩掛け鞄の肩掛けベルトや、手提げ鞄の手提げベルトなどに接続できるようにしたものであれば、その構造は特に限定されることはない。
【００１６】
図４〜１０は、この発明の鞄用ベルト構成部材を用いた鞄用ベルトの実施形態を示しており、図４〜６に示したもの及び図７、８に示したものは、ランドセル３の背負いベルト４において、その接続ベルト５に用いたものとし、図９に示したものは、肩掛け鞄６の肩掛けベルト７において、その肩パット８に用いたものとし、図１０に示したものは、手提げ鞄９の手提げベルト１０において、その手持ち部１０ａに用いたものとしている。
【００１７】
図４〜６及び図７、８に示したこの発明の鞄用ベルトは、接続ベルト５の二枚の帯状ベルト５ａ、５ｂのうちの内側の帯状ベルト５ｂにこの発明の鞄用ベルト構成部材を用いたものとし、これら帯状ベルト５ａ、５ｂの上端部に背負いベルト４との連結金具１１を取り付け、下端部にランドセル３の底部との連結金具１２を取り付けたものとしている。なお、図７、８に示したこの発明の鞄用ベルトは、可撓性ベルト１の凸条１ｂが徐々に狭くなった方を内側に向くようにして帯状ベルト５ｂに用いたものとしている。
【００１８】
このようにすると、図４〜６に示したこの発明の鞄用ベルトは、接続ベルト５が左右方向に曲がり易いものとなり、ランドセル３を背負ったときに、接続ベルト５は自然と内側に任意の湾曲度で湾曲した形状となる。また、図７、８に示したこの発明の鞄用ベルトは、可撓性ベルト１の凸条１ｂが徐々に狭くなった方向（図面では左方向）に捩じれて曲がり易いものとなり、ランドセル３を背負ったときに、接続ベルト５は自然と内側に任意の湾曲度で湾曲した形状となる。したがって、背負いベルト４が互いに外側に開いてしまうことなく、背負いベルト４を使用者の脇下から背中にかけてフィットさせて、安定した状態でランドセルが背負えるようになる。
【００１９】
さらに、図９に示したこの発明の鞄用ベルトは、肩掛けベルト７の左右ベルト７ａ、７ｂの間にこの発明の鞄用ベルト構成部材をビス止めして介在させたものとしたり、図に示していないが、肩掛けベルト７の中央部の裏側にこの発明の鞄用ベルト構成部材をビス止めしたものとすれば、肩パット８にこの発明の鞄用ベルト構成部材を用いたものとすることができる。
【００２０】
このようにしたこの発明の鞄用ベルトは、可撓性ベルト１の凹凸形状部が使用者の肩にフィットし、安定した状態で肩掛け鞄を肩に掛けておくことができるようになる。
【００２１】
また、図１０に示したこの発明の鞄用ベルトは、手提げ鞄９の手提げベルト１０の全体にこの発明の鞄用ベルト構成部材を用いたものとしたり、図に示していないが、手提げ鞄９の手提げベルト１０の中央部のみにこの発明の鞄用ベルト構成部材を用いたものとすることができる。
【００２２】
このようにしたこの発明の鞄用ベルトは、可撓性ベルト１の凹凸形状部が使用者の手にフィットし、安定した状態で手提げ鞄を手に提げてくことができるようになる。
【００２３】
【発明の効果】
この発明の鞄用ベルト構成部材は、以上に述べたように構成されているので、主としてランドセル等の背負いベルトの接続ベルトとして使用されるが、肩掛け鞄の肩掛けベルトの肩パット、手提げ鞄の手提げベルトの手持ち部などにも兼用できるものとなり、各種の鞄用ベルトを提供することができるものなった。
【図面の簡単な説明】
【図１】この発明の鞄用ベルト構成部材の一実施形態を示す斜視図である。
【図２】この発明の鞄用ベルト構成部材の他の実施形態を示す斜視図である。
【図３】この発明の鞄用ベルト構成部材のさらに他の実施形態を示す斜視図である。
【図４】この発明の鞄用ベルト構成部材を用いた鞄用ベルトを示しており、ランドセルの背負いベルトにおいて、その接続ベルトに用いた実施形態の説明図である。
【図５】図４に示す鞄用ベルトの斜視図である。
【図６】図４に示す鞄用ベルトを内側の帯状ベルト側から見た平面図である。
【図７】この発明の鞄用ベルト構成部材を用いた鞄用ベルトを示しており、ランドセルの背負いベルトにおいて、その接続ベルトに用いた他の実施形態の説明図である。
【図８】図７に示す鞄用ベルトを内側の帯状ベルト側から見た平面図である。
【図９】この発明の鞄用ベルト構成部材を用いた鞄用ベルトを示しており、肩掛け鞄の肩掛けベルトにおいて、その肩パットに用いた実施形態の説明図である。
【図１０】この発明の鞄用ベルト構成部材を用いた鞄用ベルトを示しており、手提げ鞄の手提げベルトにおいて、その手持ち部に用いた実施形態の説明図である。
【図１１】従来のランドセルにおける背負いベルトの接続ベルトの一例を示す説明図である。
【図１２】従来のランドセルにおける背負いベルトの接続ベルトの他例を示す説明図である。
【符号の説明】
１  可撓性ベルト
１ａ  側部
１ｂ  凸条
２  接続部
３  ランドセル
４  背負いベルト
５  接続ベルト
６  肩掛け鞄
７  肩掛けベルト
８  肩パット
９  手提げ鞄
１０  手提げベルト
１０ａ  手持ち部
【図１】
0004143990.tif 000002
【図２】
0004143990.tif 000003
【図３】
0004143990.tif 000004
【図４】
0004143990.tif 000005
【図５】
0004143990.tif 000006
【図６】
0004143990.tif 000007
【図７】
0004143990.tif 000008
【図８】
0004143990.tif 000009
【図９】
0004143990.tif 000010
【図１０】
0004143990.tif 000011
【図１１】
0004143990.tif 000012
【図１２】
0004143990.tif 000013